(57)【要約】      （修正有）【課題】徒歩旅行者の荷物保管のための店の遊休スペースの共有方法を提供する。【解決手段】旅行者にホストＤＢに登録された少なくとも１つ以上の店リストを提供し、店リストの中から旅行者が荷物を預ける店を選択して予約するためのインターフェースを提供する。旅行者が荷物保管を予約すると、旅行者にＱＲコード（登録商標）を含む電子チケットを生成させる。旅行者から荷物を受け取って確認したという応答信号の入力を受けると、電子チケットを非活性化させる。【選択図】図１
2020071850.tif 000002
【特許請求の範囲】
【請求項１】
商品の販売またはサービスの提供を行う店から前記店の商号名、位置、営業時間の入力を受けてホストに登録させるホストＤＢ（１１１）と、
旅行者から個人情報、預ける荷物の種類及び数に対する情報の入力を受けて登録させる旅行者ＤＢ（１１２）と、
前記旅行者に前記ホストＤＢ（１１１）に登録された少なくとも１つ以上の店リストを提供し、前記店リストの中から前記旅行者が荷物を預ける店を選択して予約するためのインターフェースを提供するマッチング検索部（１４１）と、
前記旅行者が前記マッチング検索部（１４１）の仲介下で荷物保管を予約すると、前記旅行者の端末にＱＲコードを含む電子チケットを生成させるチケット発行部（１４２）と、
前記旅行者から荷物を受け取って確認したという応答信号の入力を受けると、前記旅行者の端末に生成された前記電子チケットを非活性化させる受取確認部（１４３）、
を含むことを特徴とする、徒歩旅行者の荷物保管のための店の遊休スペースの共有サーバ。
【請求項２】
前記マッチング検索部（１４１）を通じて荷物を預ける店を選択するとき、前記選択された店を含む旅行経路を電子マップ上で提供する、お勧めコースＤＢ（１１３）
をさらに含むことを特徴とする、
請求項１に記載の徒歩旅行者の荷物保管のための店の遊休スペースの共有サーバ。
【請求項３】
前記旅行者に旅行を希望する地域の電子マップを提供し、
前記旅行者が電子マップ上で少なくとも２つ以上の地点を連結する旅行経路を設定したとき、前記設定された旅行経路に沿って存在する荷物保管が可能な店リストを提供する、
マップ提供部（１４４）をさらに含むことを特徴とする、
請求項１に記載の徒歩旅行者の荷物保管のための店の遊休スペースの共有サーバ。
【請求項４】
前記チケット発行部（１４２）は、前記店に預けられた荷物に取り付けたセキュリティータグのナンバーの入力を受けて前記旅行者の端末に伝送することを特徴とする、
請求項１に記載の徒歩旅行者の荷物保管のための店の遊休スペースの共有サーバ。
【請求項５】
前記ホストＤＢ（１１１）に登録された店と連携する旅行ガイドに対する情報が保存されているガイドＤＢ（１１４）と、
前記ホストＤＢ（１１１）に登録されたホストと連携する荷物デリバリーサービス業者に対する情報が保存されているデリバリーＤＢ（１１５）、
をさらに含むことを特徴とする、
請求項１に記載の徒歩旅行者の荷物保管のための店の遊休スペースの共有サーバ。
【請求項６】
商品の販売またはサービスの提供を行う店から前記店の商号名、位置、営業時間の入力を受けてホストに登録させるホスト登録ステップ（Ｓ１１０）と、
旅行者から個人情報、預ける荷物の種類及び数に対する情報の入力を受けて登録させる旅行者登録ステップ（Ｓ１２０）と、
前記旅行者に前記ホストに登録された少なくとも１つ以上の店リストを提供して、前記店リストの中から前記旅行者が荷物を預ける店を選択して予約する荷物保管予約ステップ（Ｓ１３０）と、
前記旅行者が荷物保管を予約すると、前記旅行者の端末にＱＲコードを含む電子チケットを生成させるチケット発行ステップ（Ｓ１４０）と、
前記旅行者から荷物を受け取って確認したという応答信号の入力を受けると、前記旅行者の端末に生成された電子チケットを非活性化させる受取確認ステップ（Ｓ１５０）、
を含むことを特徴とする、
徒歩旅行者の荷物保管のための店の遊休スペースの共有方法。
【請求項７】
前記旅行者が荷物を預ける店を選択するとき、前記選択された店を含む旅行経路を電子マップ上で推薦する旅行コース推薦ステップ（Ｓ１３１、Ｓ１３２）をさらに含むことを特徴とする、
請求項６に記載の徒歩旅行者の荷物保管のための店の遊休スペースの共有方法。
【請求項８】
前記荷物保管予約ステップ（Ｓ１３０）では、
前記旅行者に旅行を希望する地域の電子マップを提供し、
前記旅行者が電子マップ上で少なくとも２つ以上の地点を連結する旅行経路を設定したとき、前記設定された旅行経路に沿って存在する荷物保管が可能な店リストを提供する、
ことを特徴とする、
請求項６に記載の徒歩旅行者の荷物保管のための店の遊休スペースの共有方法。
【請求項９】
前記店に預けられた荷物に取り付けたセキュリティータグのナンバーの入力を受けて、前記旅行者の端末に伝送するセキュリティー設定ステップ（Ｓ１４１）をさらに含むことを特徴とする
請求項６に記載の徒歩旅行者の荷物保管のための店の遊休スペースの共有方法。
【請求項１０】
前記ホストに登録された店に連携する旅行ガイドを推薦するガイド推薦ステップと、
前記ホストに登録された店に連携する荷物デリバリーサービス業者を推薦するデリバリーサービス推薦ステップ（Ｓ１４２ａ）、
をさらに含むことを特徴とする、
請求項６に記載の徒歩旅行者の荷物保管のための店の遊休スペースの共有方法。
【発明の詳細な説明】
【技術分野】
【０００１】
本発明は、徒歩旅行者の荷物保管のための店の遊休スペースの共有サーバ及び方法に関し、より詳しくは、遊休スペースを有する店をホストとして、旅行者がスーツケースのような荷物を便利でかつ安全に保管することができるようにする徒歩旅行者の荷物保管のための店の遊休スペースの共有サーバ及び方法に関する。
【背景技術】
【０００２】
最近、経済の発展とともに全般的な生活水準が高くなるにつれ、旅行、キャンプ、デート及び文化芸術などをはじめとする様々な余暇活動が増加している傾向にあり、それに合わせて徒歩旅行も増加している。
【０００３】
徒歩旅行としては、軽くは、近くにいる知人に会いに行くことから、自国内の他地域における徒歩旅行及び旅行や、ビジネス目的で行った他国における徒歩旅行などがある。
【０００４】
しかしながら、上記のように徒歩移動する場合、最も問題になるのはベビーカー、自転車、旅行用スーツケースのように、体積が大きく重い荷物を常に持ち歩くことが大変であるため、これを預ける場所が必要であるということである。
【０００５】
特に、海外旅行客の荷物保管において、旅行国で購入した様々なお土産及び用品のため、荷物の体積と重さが増加する。従って、これを出国する日まで引き続き管理することが非常に不便であった。
【０００６】
また、外国に入国した人々は、飛行機から降りたときからホテルなど宿泊先にチェックインするまでに時間的な間隔があるが、その時間に徒歩旅行をするには、荷物を持って歩かなければならないという不便がある。
【０００７】
ここで、特許文献１では、荷物を予め出国場所に配送したり、あるいは入国した旅行者のために宿泊先まで配送することによって、短い時間にショッピングをしたり、他の観光をしたりすることができるようにすることが記載されている。
【０００８】
しかしながら、上記のような従来技術は、利用者の荷物を空港、バスターミナル、駅あるいは宿泊先まで配達するデリバリー（ｄｅｌｉｖｅｒｙ）サービスに関するものであるだけで、旅行者の徒歩旅行に合わせて荷物を便利でかつ安全に保管できるには限界があった。
【先行技術文献】
【特許文献】
【０００９】
【特許文献１】大韓民国公開特許第１０−２００８−０１１２９１６号
【発明の概要】
【発明が解決しようとする課題】
【００１０】
本発明は、前述したような問題点を解決するためのものであり、遊休スペースを有する店をホストとして、旅行者がスーツケースのような荷物を便利でかつ安全に保管することができるようにする、徒歩旅行者の荷物保管のための店の遊休スペースの共有サーバ及び方法を提供しようとする。
【課題を解決するための手段】
【００１１】
そのために、本発明に係る徒歩旅行者の荷物保管のための店の遊休スペースの共有サーバは、商品を販売したりサービスを提供する店から前記店の商号名、位置、営業時間の入力を受けてホストに登録させるホストＤＢ；旅行者から個人情報、預ける荷物の種類及び数に対する情報の入力を受けて登録させる旅行者ＤＢ；前記旅行者に前記ホストＤＢに登録された少なくとも１つ以上の店リストを提供し、前記店リストの中から前記旅行者が荷物を預ける店を選択して予約できるインターフェースを提供するマッチング検索部；前記旅行者が前記マッチング検索部の仲介下で荷物保管を予約すると、前記旅行者の端末にＱＲコードを含む電子チケットを生成させるチケット発行部；及び前記旅行者から荷物を受け取って確認したという応答信号の入力を受けると、前記旅行者の端末に生成された電子チケットを非活性化させる受取確認部；を含むことを特徴とする。
【００１２】
このとき、前記マッチング検索部を通じて荷物を預ける店を選択するとき、前記選択された店を含む旅行経路を電子マップ上で提供するお勧めコースＤＢをさらに含むことが好ましい。
【００１３】
また、前記旅行者に旅行を希望する地域の電子マップを提供し、前記旅行者が電子マップ上で少なくとも２つ以上の地点を連結する旅行経路を設定したとき、前記設定された旅行経路に沿って存在する荷物保管が可能な店リストを提供するマップ提供部をさらに含むことが好ましい。
【００１４】
また、前記チケット発行部は、前記店に預けられた荷物に取り付けたセキュリティータグのナンバーの入力を受けて前記旅行者の端末に伝送することが好ましい。
【００１５】
また、前記ホストＤＢに登録された店と連携する旅行ガイドに対する情報が保存されているガイドＤＢ；及び前記ホストＤＢに登録されたホストと連携する荷物デリバリーサービス業者に対する情報が保存されているデリバリーＤＢ；をさらに含むことが好ましい。
【００１６】
一方、本発明に係る徒歩旅行者の荷物保管のための店の遊休スペースの共有方法は、商品を販売したりサービスを提供する店から前記店の商号名、位置、営業時間の入力を受けてホストに登録させるホスト登録ステップ；旅行者から個人情報、預ける荷物の種類及び数に対する情報の入力を受けて登録させる旅行者登録ステップ；前記旅行者にホストに登録された少なくとも１つ以上の店リストを提供して、前記店リストの中から前記旅行者が荷物を預ける店を選択して予約する荷物保管予約ステップ；前記旅行者が荷物保管を予約すると、前記旅行者の端末にＱＲコードを含む電子チケットを生成させるチケット発行ステップ；及び前記旅行者から荷物を受け取って確認したという応答信号の入力を受けると、前記旅行者の端末に生成された電子チケットを非活性化させる受取確認ステップ；を含むことを特徴とする。
【００１７】
このとき、前記旅行者が荷物を預ける店を選択するとき、前記選択された店を含む旅行経路を電子マップ上で推薦する旅行コース推薦ステップをさらに含むことが好ましい。
【００１８】
また、前記荷物保管予約ステップでは、前記旅行者に旅行を希望する地域の電子マップを提供し、前記旅行者が電子マップ上で少なくとも２つ以上の地点を連結する旅行経路を設定したとき、前記設定された旅行経路に沿って存在する荷物保管が可能な店リストを提供することが好ましい。
【００１９】
また、前記店に預けられた荷物に取り付けたセキュリティータグのナンバーの入力を受けて、前記旅行者の端末に伝送するセキュリティー設定ステップをさらに含むことが好ましい。
【００２０】
また、前記ホストに登録された店に連携する旅行ガイドを推薦するガイド推薦ステップ；及び前記ホストに登録された店に連携する荷物デリバリーサービス業者を推薦するデリバリーサービス推薦ステップ；をさらに含むことが好ましい。
【発明の効果】
【００２１】
以上のような本発明は、遊休スペースを有する店をホストに登録し、旅行者はホストに登録された店の中から自分の旅行経路に適合した店を選択及び予約する。従って、予約された時間の間、店に荷物を預けることができるようにする。
【００２２】
また、本発明は、旅行者が荷物を預ける店を予約するとき、電子チケットを発行してホストと旅行者との両方の使用の利便性を向上させ、預けられた荷物にセキュリティータグを取り付けて安心保管を可能とする。
【００２３】
また、本発明は、荷物を預ける店を拠点とする旅行経路を推薦されたり、自ら選択した旅行経路上にある店を選択して荷物を預けることができ、ガイドやデリバリーサービスとの連動も可能とする。
【図面の簡単な説明】
【００２４】
【図１】本発明に係る徒歩旅行者の荷物保管のための店の遊休スペースの共有方法を示した概念図である。
【図２】本発明に係る徒歩旅行者の荷物保管のための店の遊休スペースの共有サーバを示した概略構成図である。
【図３】本発明に係る徒歩旅行者の荷物保管のための店の遊休スペースの共有サーバを示した詳細構成図である。
【図４】本発明に係る店検索結果を示した図である。
【図５】本発明に係る荷物保管の予約状態を示した図である。
【図６】本発明に係る旅行経路の推薦状態を示した図である。
【図７】本発明に係る旅行経路にある荷物保管店を示した図である。
【図８】本発明に係る徒歩旅行者の荷物保管のための店の遊休スペースの共有方法を示したフローチャートである。
【発明を実施するための形態】
【００２５】
以下、添付の図面を参照しながら、本発明の好適な実施例に係る徒歩旅行者の荷物保管のための店の遊休スペースの共有サーバ及び方法について詳細に説明する。
【００２６】
図１は、本発明に係る徒歩旅行者の荷物保管のための店の遊休スペースの共有方法を示した概念図である。図示されたように、店側は、商号、位置、保管可能な荷物の数、保管可能な荷物の種類など様々な情報を入力してホストに登録する。
【００２７】
旅行者は、ホストに登録された様々な店を検索し、そのうち自分の旅行コースに最適な店を選択及び予約する。予約後には、現金、ポイント及びクレジットカードなどで決済が行われる。
【００２８】
このとき、旅行者は、広い意味の利用者を意味するもので、国内／国外の旅行者を含む。また、旅行以外の目的で長距離や短距離を移動するとき、荷物保管が必要な全ての人を含む。
【００２９】
店に預ける荷物（ｌｕｇｇａｇｅ）は、代表的に、国内の長距離旅行や海外旅行のとき、通常に用いる旅行用スーツケースがあり、その他、ベビーカーや自転車のように、荷物保管が可能な全てのものを含む。
【００３０】
このような本発明の共有プラットフォームによると、遊休スペースを有する店は、ホストに登録し、旅行者は、ホストに登録された店の中から旅行経路に適合した店を選択して予約することができる。従って、予約された時間に店に荷物を預ける。
【００３１】
旅行者が荷物を預ける店を予約するとき、ＱＲコードのような電子チケットを発行することにより、旅行者は電子チケットを店に提示して予約を確認し、荷物を預けた後には、セキュリティータグを取り付けて安心保管を可能とする。
【００３２】
また、荷物を預ける店を含む旅行経路を推薦されたり、自ら選択した旅行経路上にある店を選択して荷物を預けることができ、旅行ガイドや荷物デリバリーサービスとの連動も可能とする。
【００３３】
一方、本発明に係る徒歩旅行者の荷物保管のための店の遊休スペースの共有サーバ１００は、インターネットサービスが可能な仲介サーバとして実現され、ホストと利用者は、それぞれ端末を通じてサーバ１００に接続してサービスを提供される。
【００３４】
仲介サーバとして実現される場合、ウェブサーバ（ＷＥＢ  ｓｅｒｖｅｒ）、ワップサーバ（ＷＡＰ  ｓｅｒｖｅｒ）又はこれらを統合した統合サーバとして構築されてもよい。エンドユーザー（Ｅｎｄ  Ｕｓｅｒ）のホストと旅行者は、有無線ネットワーク網を通じてサーバ１００に接続する。
【００３５】
エンドユーザーの端末は、ＰＣ、スマートフォン及びタブレットのように、ホスト登録、店検索／予約／決済、電子チケット発行などに必要なウェブ／モバイルサイトへの接続と、サービス専用アプリケーションの設置及び実行が可能なすべての端末装置を含む。
【００３６】
このようなホスト端末や旅行者端末は、ウェブ／モバイルサイト又は専用アプリケーションの制御下で、サービス画面の構成、情報入力、データ送受信及び仲介のためのユーザインタフェース提供などサービス全般の動作を行ってもよい。
【００３７】
図２に示すように、本発明の徒歩旅行者の荷物保管のための店の遊休スペースの共有サーバ１００は、データベース 管理システム１１０（ＤＢＭＳ：ＤａｔａＢａｓｅ  Ｍａｎａｇｅｍｅｎｔ  Ｓｙｓｔｅｍ）、メモリ１２０、ネットワークインターフェース１３０及び仲介エンジン１４０を含む。
【００３８】
ここで、ＤＢＭＳ１１０は、サーバ構築時に必要なデータベースの構築及び管理のためのもので、後述するように、ホストＤＢ１１１、旅行者ＤＢ１１２、お勧めコースＤＢ１１３、ガイドＤＢ１１４及びデリバリーＤＢ１１５を含む。
【００３９】
このようなＤＢＭＳ１１０は、データ保存、処理及び伝送を担当するように、サーバコンピュータ内に一体構築されてもよい。しかしながら、これに限定されるものではなく、システムの実現方式や環境によって全体又は一部のＤＢ（ＤａｔａＢａｓｅ）が別途のシステム上に構築された外部ＤＢとして存在することも可能である。
【００４０】
メモリ１２０は、コンピュータで読取可能な記録媒体であって、ＲＡＭ、ＲＯＭ及びディスクドライブのような大容量記録装置で構成されてもよく、荷物保管を仲介（ｍｅｄｉａｔｅ）するためのオペレーティングシステムとサービス提供ルーチンのためのプログラムコードを提供する。
【００４１】
このとき、少なくとも一部のソフトウェア構成要素は、ドライブメカニズム（ｄｒｉｖｅ  ｍｅｃｈａｎｉｓｍ）を用いて、メモリ１２０とは別のコンピュータで読取可能な記録媒体からロードされてもよい。
【００４２】
また、ソフトウェアの構成要素は、後述するネットワークインターフェース１３０を通じてメモリ１２０にロードされてもよく、これらはデータバス（ｄａｔａ  ｂｕｓ）を通じて仲介エンジン１４０とのデータ送受信を可能とする。
【００４３】
ネットワークインターフェース１３０は、国内網又は海外ゲートウェイ（ＧａｔｅＷａｙ）を経由する国外網との連結のためのものであり、インターネットプロトコルによる通信の可能な通信インターフェースを含む。また、無線周波数送受信機のように情報を送受信できる別のタイプのデバイスであってもよい。
【００４４】
ネットワークインターフェース１３０の他の例として、モバイル・コンピューティング・デバイス、４Ｇ、５Ｇ及びＷｉＦｉなどを含む無線機器であってもよく、一部の例においてコンピューティング・デバイスは、ネットワーク化された外部デバイスと無線通信するインターフェースを用いてもよい。
【００４５】
仲介エンジン１４０は、ホストである店と旅行者との間の荷物保管を仲介するラグ・ステイ（Ｌｕｇ−Ｓｔａｙ）エンジンに該当するもので、マッチング検索部１４１、チケット発行部１４２、受取確認部１４３、ホスト評価部１４３ａ及びマップ提供部１４４を含む。
【００４６】
このような仲介エンジン１４０は、一例として、徒歩旅行者の荷物保管のための店の遊休スペースの共有サーバ１００のサーバ・プラットフォーム（ｓｅｒｖｅｒ  ｐｌａｔｆｏｒｍ）上で実現される。さらに、必要に応じて制御部１４５とともにサーバに搭載された１つのプロセッサとして実現されてもよい。
【００４７】
ただし、仲介エンジン１４０は、サーバ・プラットフォームの形態で実現されるものに限定されない。従って、別途のシステムとして構築された後、サーバとの連動によりホストと旅行者との間の荷物保管に関連したプロセスを処理する形態で実現されてもよい。
【００４８】
以下、上述したような本発明に係る徒歩旅行者の荷物保管のための店の遊休スペースの共有サーバに対して、さらに詳しく説明する。
【００４９】
図３に示すように、ホストＤＢ１１１は、ＤＢＭＳ１１０の管理下で荷物を預かる店に対する情報を保存するものであり、店から各店の商号名、位置、営業時間などの入力を受けてホストに登録させる。
【００５０】
店は、商品を販売したり無形のサービスを提供するすべての場所を意味し、観光商品販売店、コーヒーショップ、飲食店、ヘアーショップ、衣料品店などはもちろんのこと、宿泊を予約（あるいは計画）していない別の宿泊業者も含まれる。
【００５１】
また、店では、管理者や代表がエンドユーザー端末を用いて本発明の共有サーバ１００に接続してホストに登録する。このとき、荷物保管に要求される店情報が実際のものと同一であるか否かを検証する手続きを有してもよい。
【００５２】
図４に示すように、店をホストに登録するとき、商号名、位置及び営業時間などが検索画面に表示される。もちろん、それ以外にも、営業時間と一致し、又は一致しない荷物保管可能時間、荷物保管場所の面積及び保管可能な荷物の種類も登録することができる。
【００５３】
荷物保管場所の面積は、旅行者が預ける荷物の体積（大きさ）や数を決定するのに用いられ、必要に応じては、他の旅行者の荷物を預けて残った残余スペースに関する情報を提供することもできる。
【００５４】
保管可能な荷物の種類は、内容物によって区分される。一例として、冷蔵保管が必要なものとそうでないものに区分してもよい。従って、飲食物などの冷蔵保管が必要な荷物は、冷蔵庫を備えた飲食店に預けることができる。
【００５５】
ただし、ホストＤＢ１１１には、店で販売する物品や提供するサービスに対する詳細情報やそのためのウェブサイトリンクを登録することができるが、これにより、店の広告とともに荷物保管と連係して商品に対する割引を可能とする。
【００５６】
旅行者ＤＢ１１２は、ＤＢＭＳ１１０の管理下で荷物を預ける旅行者に対する情報を保存するものであり、旅行者から個人情報、預ける荷物の種類及び数などの様々な情報を入力されて登録させる。
【００５７】
旅行者は、スマートフォンのような端末、即ち、移動通信端末を通じて本発明のサーバ１００に接続して情報を入力することができるが、それ以外にも、ＰＣを通じて接続可能である。このとき、旅行者は、アマゾン（登録商標）のようなウェブサーバを通じてサーバ１００に接続することもできる。
【００５８】
旅行者ＤＢ１１２に登録される個人情報は、会員ＩＤのような加入時情報、荷物保管予約及び決済情報を含む。また、店に預けられた荷物を受け取った状態やガイド及びデリバリー申し込み状態に対する情報も保存することができる。
【００５９】
また、預ける荷物の種類は、一例として、２１インチ／２４インチ／２８インチのスーツケースのように、荷物の大きさで分類することができる。さらに、自転車／ベビーカー／スーツケースのように物品名称で分類したり、冷蔵保管が必要な内容物であるか否かで分類したりすることもできる。
【００６０】
マッチング検索部１４１は、仲介エンジン１４０を構成するものであり、旅行者に、ホストＤＢ１１１に登録された少なくとも１つ以上の店リストを提供する。また、旅行者が荷物を預ける店を選択し、予約するインターフェースを提供する。
【００６１】
店リストは、荷物保管予約のために本発明の共有サーバ１００に接続した旅行者の端末に提供される 。一例として、旅行者が端末にインストールされたアプリケーションを通じて検索可能な環境で提供される。
【００６２】
検索方法は、地番検索、駅やバスターミナル周辺検索、推薦検索、マップ検索などがある。旅行者の端末に提供する検索結果も、サムネール形式、掲示板形式及び電子マップ上にマーク（例：星型や風船型）で表示する方式などがある。
【００６３】
インターフェースは、旅行者の端末の画面を通じて提供されるＧＵＩ（Ｇｒａｐｈｉｃ  Ｕｓｅｒ  Ｉｎｔｅｒｆａｃｅ）が代表的であり、マッチング検索部１４１は、旅行者の端末のＧＵＩを通じて入力された店、荷物の数及び予約時間などの入力を受ける。
【００６４】
マッチング検索部１４１を通じて読み出された荷物保管店、保管を予約した荷物の数、荷物の種類及び予約時間は、ホストＤＢ１１１と旅行者ＤＢ１１２にそれぞれ登録され、両方のＤＢ１１１，１１２が同時に連動及びアップデートされる。
【００６５】
上述のように予約を終えた旅行者は、店に訪問して荷物を預けることができる状態になり、以下で再び説明するように、旅行者は、店に訪問して、予約のときに発行された電子チケットを提示して荷物を預ける。
【００６６】
図５に示すように、チケット発行部１４２は、旅行者がマッチング検索部１４１の仲介下で荷物保管を予約すると、予約された内容を認証できるように、旅行者が登録した端末にＱＲコードを含む電子チケットを生成させる。
【００６７】
旅行者が登録した端末とは、本発明の共有サーバ１００に接続して荷物保管を予約した当時のＰＣや移動通信端末を意味するものであり、予約の完了と同時に旅行者の端末に電子チケットがすぐに生成されるようにすることが好ましい。
【００６８】
しかしながら、予約当時の旅行者の端末と、旅行中に持ち歩いている旅行者の端末とが異なる場合もある。従って、他の実施例として、電子チケットの発給を受けようとする端末を選択及び登録したり、他の端末に伝送することもできる。
【００６９】
ただし、旅行者端末に生成された電子チケットのうち少なくともＱＲコードは、予約された店の端末にも伝送又は生成させることが好ましい。これにより、店において旅行者の電子チケットをタグして予約者であることをすぐに確認できるようになる。
【００７０】
また、本発明では、店で荷物が保管されている間に荷物が開けられたりすることを防止するようにセキュリティータグを取り付けるが、このとき、チケット発行部１４２は、預けられた荷物に取り付けられたセキュリティータグのナンバーの入力を受けて旅行者の移動通信端末へ伝送する。
【００７１】
セキュリティータグは、一例として、旅行用スーツケースの本体と蓋体が接する境界を横断するように取り付ける一種のシールに当たるものであり、セキュリティータグにはナンバーが印刷されている。このように与えられたナンバーは、旅行者に提供される。
【００７２】
従って、旅行者は、預けた荷物の受取りの際にセキュリティータグがちゃんと取り付けられているかにより、荷物が安全に保管されていたか確認することができ、自分のセキュリティータグに間違いないかをナンバーを見て確認することができるようになる。
【００７３】
なお、セキュリティータグは、予約のとき、本発明のサーバ１００側から発行した電子チケットと同時に発行するか、又は店側で自ら発行した後、本発明のサーバ側へそれを知らせて旅行者に提供してもよい。
【００７４】
また、セキュリティータグは、図５を参照して説明したＱＲコードに変更してもよく、ＱＲコードとともにシリアルナンバーが含まれたセキュリティータグをプリントアウトして、店に預けられた荷物に取り付けてもよいことは自明であろう。
【００７５】
次に、受取確認部１４３は、旅行者から荷物を受け取って確認したとの応答信号の入力を受けると、それに対する応答として、旅行者の端末に生成された電子チケットを非活性化する。
【００７６】
荷物受取は、旅行者が店に戻って直接ピックアップした後、確認の手続を終えることが好ましいが、デリバリーサービスを利用した場合は、店より予め設定した目的地まで配送してもらうことも含まれる。
【００７７】
このとき、デリバリーサービス業者との契約によって、最終的に空港や宿泊先などに荷物が届いた場合のみ、荷物が受け取られたとして処理することができるが、それ以外にも、デリバリーサービス業者が店で荷物をピックアップすると、直ちに荷物が受け取られたとして処理することもできる。
【００７８】
荷物受取の確認は、一例として、旅行者が端末にインストールしたアプリケーションを起動するときに提供される入力画面で受取ボタンなどを押すことにより、本発明のサーバ１００にてこれを確認することができる。
【００７９】
電子チケットの非活性化は、ＱＲコードを読み取れない状態にするか、電子チケットそのものを削除するかの方式が適用されてもよく、非活性化は、旅行者の端末で直ちに行われるか、又はサーバでの確認後に非活性化されるように処理してもよい。
【００８０】
従って、本発明は、荷物を預ける店を予約すると、自動で電子チケットが発行されるため、旅行者とホストの両方の利便性が向上し、荷物を受け取って確認した後にのみ電子チケットが非活性化されるため、安心して荷物保管を可能にする。
【００８１】
なお、本発明は、ホスト評価部１４３ａをさらに含むことが好ましいが、ホスト評価部１４３ａは、受取確認部１４３を通じて受取りを確認したとき、旅行者が評価した店に対する評点を提供する。
【００８２】
一方、本発明は、以上のような構成の他にも、お勧めコースＤＢ１１３をさらに含む。図６のように、お勧めコースＤＢ１１３は、マッチング検索部１４１を通じて荷物を預ける店を予約するとき、選択された店を含む旅行経路を電子マップ（ｅ−Ｍａｐ）上で提供する。
【００８３】
お勧めコースＤＢ１１３に登録されるお勧め旅行経路は、旅行国の観光庁（例えば、韓国観光公社など）及び傘下機関より提供するか、又は旅行者のお勧め、又はビックデータ分析により抽出された旅行経路などの様々な方式で収集される。
【００８４】
推薦される旅行経路は、一例として、旅行者が店を予約した後、お勧めを申し込むと、マッチング検索部１４１でお勧めコースＤＢ１１３を検索し、その中から、その店からの一定の範囲内にある１つ以上の旅行経路を抽出及び提供する。
【００８５】
従って、旅行者は、事前に旅行計画を立てていない場合や、入国後で、かつ宿泊先へのチェックイン以前、又は宿泊先からのチェックアウト後で、かつ出国前の短い時間の間に、推薦された旅行経路に沿って便利な旅行が可能である。
【００８６】
図７に示すように、マップ提供部１４４は、上記で説明したお勧めコースＤＢ１１３とは逆に、旅行者が自ら旅行経路を選択できるようにするものとして、旅行者に旅行を希望する地域の電子マップを提供する。
【００８７】
旅行者は、電子マップ上で少なくとも２つ以上の地点を連結する旅行経路を設定し、サーバは、設定された旅行経路に沿って存在する荷物保管が可能な店リストを提供する。店リストは、できるだけ旅行経路から一定の距離以内の店を表示する。
【００８８】
このようなマップ提供部１４４は、それ自体に備えられたＤＢから電子マップを提供してもよいが、その他グーグルマップオープンＡＰＩを使用することにより、グーグルマップより提供する地図を呼び出して提供してもよい。このとき、マップ提供部１４４は、マッチング検索部１４１から店情報を持ってきて電子マップに表示する。
【００８９】
一方、上記で説明を省略したガイドＤＢ１１４は、ホストＤＢ１１１に登録された店と連携する旅行ガイドに対する情報が保存される。同様に、デリバリーＤＢ１１５は、ホストＤＢ１１１に登録されたホストと連携する荷物デリバリーサービス業者に対する情報が保存される。
【００９０】
従って、旅行者は、荷物を保管した店と近かったり、荷物を保管した店を含む旅行経路をよく分かったり、あるいは荷物を保管した店のある地域の言語への通訳が可能な ガイドを提供することができるようにする。
【００９１】
また、その店に寄って 配送可能なデリバリーサービス業者と連携して、旅行者が直接店に荷物を受け取りに行かなくても、現在の宿泊先や空港など希望の場所まで荷物を届けてもらうこともできる。
【００９２】
以下、添付の図面を参照して、本発明に係る徒歩旅行者の荷物保管のための店の遊休スペースの共有方法に対して説明する。
【００９３】
ただし、以下では、一例として、本発明の共有サーバを通じた共有方法について説明するので、できるだけ重複する説明は省略する。
【００９４】
図８に示すように、本発明に係る徒歩旅行者の荷物保管のための店の遊休スペースの共有方法は、ホスト登録ステップ（Ｓ１１０）、旅行者登録ステップ（Ｓ１２０）、荷物保管予約ステップ（Ｓ１３０）、チケット発行ステップ（Ｓ１４０）及び受取確認ステップ（Ｓ１５０）を含む。
【００９５】
また、本発明の好ましい別の実施例として、旅行コース推薦ステップ（Ｓ１３１、Ｓ１３２）、セキュリティー設定ステップ（Ｓ１４１）、ガイド推薦ステップ（図示せず）及びデリバリーサービス推薦ステップ（Ｓ１４２ａ）をさらに含むのが好ましい。
【００９６】
ここで、上述したホスト登録ステップ（Ｓ１１０）では、商品を販売したりサービスを提供する店から、荷物の保管に必要な店の商号名、位置、営業時間の入力を受けてホストに登録させる。
【００９７】
店をホストに登録するとき、上記のような情報の入力に加え、営業時間と一致し、又は一致しない荷物保管可能時間、荷物保管場所の面積及び保管可能な荷物の種類も登録することができる。
【００９８】
このような情報は、旅行者が荷物を預ける店を検索し、保管時間を決定するのに用いられるものであり、一例として、店側に備えられた端末よりサーバに接続して該情報を入力することにより、サーバのホストＤＢ１１１に保存される。
【００９９】
次に、旅行者登録ステップ（Ｓ１２０）は、荷物を預ける旅行者に対する情報を保存するステップであり、旅行者から個人情報、預ける荷物の種類及び数に対する情報の入力を受けて登録させる。
【０１００】
旅行者は、スマートフォンのような移動通信端末を通じて本発明のサーバ１００に接続して情報を入力することができる。それ以外にも、ＰＣを通じても接続可能であり、このとき、アマゾン（登録商標）のようなウェブサーバを通じて本発明のサーバ１００に接続することもできる。
【０１０１】
上述のように入力された旅行者情報は、サーバ１００に備えられた旅行者ＤＢ１１２に登録され、個人情報は、会員ＩＤのような加入時情報、荷物保管予約及び決済情報をさらに含んでもよい。
【０１０２】
予約時に入力すべき預ける荷物の種類は、一例として、２１インチ／２４インチ／２８インチのスーツケースのように、荷物の大きさで分類してもよい。さらに、自転車／ベビーカー／スーツケースのように物品名称で分類したり、冷蔵保管が必要な内容物であるか否かで分類したりしてもよい。
【０１０３】
次に、荷物保管予約ステップ（Ｓ１３０）では、旅行者に、ホストに登録された少なくとも１つ以上の店リストを提供し、旅行者は、その店リストから荷物を預ける店を選択して予約する。予約後は、店に荷物を預ける。
【０１０４】
ホストに登録された店に対する情報は、一例として、サーバのマッチング検索部１４１でホストＤＢ１１１に登録された店に対する情報を検索して、サーバに接続した旅行者の端末へ提供される。
【０１０５】
検索方法は、地番検索、駅やバスターミナル周辺検索、推薦検索、マップ検索などがある。旅行者の端末に提供する検索結果も、サムネール形式、掲示板形式及び電子マップ上にマーク（例：星型や風船型）で表示する方式などがある。
【０１０６】
このとき、マッチング検索部１４１は、旅行者の端末の画面に提供されるＧＵＩ（Ｇｒａｐｈｉｃ  Ｕｓｅｒ  Ｉｎｔｅｒｆａｃｅ）を通じて入力された店の選択、荷物の数及び保管期間などの入力を受ける 。入力後は、決済に進むことにより予約が完了する。
【０１０７】
ただし、上記では、旅行者が直接最適な店を１つのみ検索する方法を提示した。しかし、本発明は、旅行を希望する地域の電子マップを旅行者に提供し、その経路に沿って存在する荷物保管が可能な様々な店を提示することもできる。
【０１０８】
そのために、旅行者が、旅行者の端末に提供される電子マップ上で少なくとも２つ以上の地点を連結する旅行経路を設定すると、サーバは、前記設定された旅行経路に沿って存在する荷物保管が可能な店リストを提供する。
【０１０９】
荷物を預ける店を予約した後は、ホストに登録された店に連携する旅行ガイドを推薦するガイド推薦ステップをさらに含んでもよい。好ましくは、ガイド推薦は、旅行者の申し込みにより行われ、サーバ１００側から旅行者の端末へ旅行ガイドに対する情報を伝送する。
【０１１０】
荷物保管店の予約が完了した後は、旅行コース推薦ステップ（Ｓ１３１、Ｓ１３２）をさらに含んでもよい。旅行コース推薦ステップ（Ｓ１３１、Ｓ１３２）では、旅行者が荷物を預ける店を選択したとき、選択された店を含む旅行経路を電子マップ上で推薦する。
【０１１１】
コース推薦は、一例として、サーバに構築されたお勧めコースＤＢ１１３に保存された旅行コースが利用される。ここで、マッチング検索部１４１は、予約された店を含む旅行経路を抽出して電子マップ上で提供する。
【０１１２】
お勧めコースＤＢ１１３に登録されるお勧め旅行経路は、旅行観光庁（例えば、韓国観光公社など）及び傘下機関より提供してもよい。また、他の旅行者のお勧め、又はビックデータ分析などの様々な方式で収集される。
【０１１３】
ただし、旅行コース推薦ステップ（Ｓ１３１、Ｓ１３２）は、荷物保管予約ステップ（Ｓ１３０）の直後でなく、以下で説明するチケット発行ステップ（Ｓ１４０）の後で行われてもよい。即ち、旅行を終えて荷物を受け取った場合でなければ、いつでも申し込んでお勧め旅行経路を提供されることができる。
【０１１４】
次に、チケット発行ステップ（Ｓ１４０）では、旅行者が荷物保管を予約すると、旅行者の端末にＱＲコードを含む電子チケットを生成させる。例えば、サーバのチケット発行部１４２は、旅行者がマッチング検索部１４１の仲介下で荷物保管を予約すると、予約された内容を認証できるように、旅行者の端末にＱＲコードを含む電子チケットを生成させる。
【０１１５】
旅行者の端末とは、本発明の共有サーバ１００に接続して荷物保管を予約した当時のＰＣや移動通信端末を意味する。従って、予約の完了と同時に旅行者の端末に電子チケットがすぐに生成される。
【０１１６】
しかしながら、予約当時の旅行者の端末と、旅行中に持ち歩いている旅行者の端末とが異なる場合もある。従って、他の実施例として、電子チケットの発給を受けようとする端末を選択及び登録したり、他の端末に伝送することもできる。
【０１１７】
さらに、旅行者が予約した店を訪問して、発行された電子チケットを提示して荷物を預けた後は、保管されている荷物が店側をはじめとする第三者に 開けられたりすることを防止するようにセキュリティータグを取り付けることが好ましい。
【０１１８】
従って、本発明のサービスを提供するサーバ１００では、店に預けられた荷物に取り付けられたセキュリティータグのナンバーの入力を受けて旅行者の端末に伝送するセキュリティー設定ステップ（Ｓ１４１）を実行することが好ましい。
【０１１９】
例えば、サーバに構築されたチケット発行部１４２は、預けられた荷物に取り付けられたセキュリティータグのナンバーの入力を受けて、旅行中に旅行者が持ち歩いているスマートフォンのような旅行者の移動通信端末に伝送する。
【０１２０】
セキュリティータグは、一例として、旅行用スーツケースのような荷物に取り付ける一種のシールに当たるものであり、セキュリティータグにはナンバーが印刷されている。このように与えられたナンバーは、旅行者に提供される。
【０１２１】
なお、セキュリティータグは、予約のとき、本発明のサーバ１００側から発行した電子チケットと同時に発行するか、又は店側で自ら発行した後、本発明のサーバ側を通じてそれを旅行者に提供することもできる。
【０１２２】
また、セキュリティータグは、電子チケットに含まれたＱＲコードに変更してもよく、ＱＲコードとともにシリアルナンバーが含まれたセキュリティータグをプリントアウトして、店に預けられた荷物に取り付けてもよい。
【０１２３】
次に、受取確認ステップ（Ｓ１５０）では、旅行者から荷物を受け取って確認したとの応答信号の入力を受けると、上記で説明したように、旅行者の端末に生成された電子チケットを非活性化する。
【０１２４】
例えば、サーバ側の受取確認部１４３で旅行者の端末から荷物を受け取って確認したという応答信号の入力を受けると、それに対する応答として、旅行者の端末に生成された電子チケットを非活性化することができる。
【０１２５】
荷物受取は、旅行者が店に戻って直接ピックアップすることが好ましいが、デリバリーサービスを利用した場合は、店より予め設定した目的地まで配送してもらうことも含まれる。
【０１２６】
従って、旅行者がデリバリーサービスを利用したのか判断（Ｓ１４２ａ）し、デリバリーサービスの申し込みがない場合は、旅行者が荷物を預けた店に再び寄って直接受け取った（Ｓ１４２ｂ）場合のみ受取確認（Ｓ１５０）が行われる。
【０１２７】
それに対し、旅行者からのデリバリーサービスの申し込みがあった場合は、サービス申し込みのときに要請した目的地である宿泊先や空港などで旅行者が荷物を受け取った（Ｓ１４２ｃ）以後、受取確認（Ｓ１５０）が行われる。
【０１２８】
このとき、デリバリーサービス業者との契約によって、最終的に空港や宿泊先などに荷物が届いた場合のみ、荷物が受け取られたとして処理することができるが、それ以外にも、デリバリーサービス業者が店で荷物をピックアップすると、直ちに受け取られたとして処理することもできる。
【０１２９】
荷物受取の確認は、一例として、旅行者が端末にインストールしたアプリケーションを起動したときに提供される入力画面で受取ボタンなどを押すことにより、本発明のサーバ１００でこれを確認することができる。
【０１３０】
電子チケットの非活性化は、ＱＲコードを読み取れない状態にするか、電子チケットそのものを削除するかの方式が適用されてもよく、非活性化は、旅行者の端末で直ちに行われるか、又はサーバでの確認後に非活性化されるように処理してもよい。
【０１３１】
以上、本発明の特定の実施例について詳述したが、本発明の思想及び範囲はこのような特定の実施例に限定されるものでなく、本発明の要旨を変更しない範囲内で多様に修正及び変形可能であることは本発明が属する技術の分野における通常の知識を有する者であれば理解できるであろう。
【０１３２】
従って、以上で記述した実施例は、本発明が属する技術の分野における通常の知識を有する者に発明の範疇を完全に知らせるために提供されるものであるので、すべての面で例示的であり、限定的ではないものと理解しなければならず、本発明は、請求項の範疇によって定義されるのみである。
【符号の説明】
【０１３３】
１１０：ＤＢＭＳ（ＤａｔａＢａｓｅ  Ｍａｎａｇｅｍｅｎｔ  Ｓｙｓｔｅｍ）
１１１：ホストＤＢ
１１２：旅行者ＤＢ
１１３：お勧めコースＤＢ
１１４：ガイドＤＢ
１１５：デリバリーＤＢ
１２０：メモリ
１３０：ネットワークインターフェース
１４０：仲介エンジン
１４１：マッチング検索部
１４２：チケット発行部
１４３：受取確認部
１４３ａ：ホスト評価部
１４４：マップ提供部
【図１】
2020071850.tif 000003
【図２】
2020071850.tif 000004
【図３】
2020071850.tif 000005
【図４】
2020071850.tif 000006
【図５】
2020071850.tif 000007
【図６】
2020071850.tif 000008
【図７】
2020071850.tif 000009
【図８】
2020071850.tif 000010